(57)【要約】【課題】  第１シャッタと第２シャッタとがヘッド開口部を閉塞する状態で環状を成す一対の凸部間を経由した塵埃等の侵入を防止するディスクカートリッジを得る。【解決手段】  ディスクカートリッジ１０では、ケース１４のディスク収容部５０内に回転可能に収容された円板状のディスクメディアの記録面にドライブ装置のヘッドがアクセスするためのヘッド開口部１６が設けられている。ヘッド開口部１６は、第１シャッタ６４と第２シャッタ７４とが互いの端面を突き当てて閉塞され、該端面を互いに離間させて開放される。第１シャッタ６４に設けた円弧状の第１凸部６８と、第２シャッタ７４に設けた円弧状の第２凸部８０とは、ヘッド開口部１６の閉塞状態出た該の周方向端部を突き合わせることで、ディスクメディアのセンタ孔周りの面が当接する環状のディスク内周受け部９０を形成する。第１凸部６８と第２凸部８０とは、ヘッド開口部１６の閉塞状態で突き合わされる周方向端部６８Ａ、８０Ａが互いに対応するテーパ形状とされている。【選択図】      図１
2005276334.tif 000002
【特許請求の範囲】
【請求項１】
円板状に形成されたディスクメディアを回転可能に収容する収容部における前記ディスクメディアの記録面側に、ドライブ装置のヘッドが前記記録面にアクセスするためのヘッド開口部が設けらたケースと、
第１シャッタと第２シャッタとが互いに端部を突き当てて前記ヘッド開口部を閉塞し、前記第１シャッタと第２シャッタとが端部を離間して前記ヘッド開口部を開放するシャッタ機構と、
前記第１シャッタに設けられた円弧状の第１凸部と前記第２シャッタに設けられた円弧状の第２凸部とが前記ヘッド開口部の閉塞状態で周方向端部を突き合わせることで環状に形成され、前記ディスクメディアの軸心部に設けられたセンタ孔周りの面に当接するディスク内周受け部と、を備え、
前記第１凸部と第２凸部とは、前記ヘッド開口部の閉塞状態で突き合わされる周方向端部が互いに対応するテーパ形状とされている、ことを特徴とするディスクカートリッジ。
【請求項２】
軸心部にセンタ孔を有する円板状に形成されたディスクメディアを回転可能に収容する収容部における前記ディスクメディアの記録面側に、ドライブ装置のヘッドが前記記録面にアクセスするためのヘッド開口部と、ドライブ装置の回転軸が前記ディスクメディアのセンタ孔にアクセスしてチャッキングするための円形状のチャッキング開口部とがそれぞれ設けらたケースと、
それぞれ前記チャッキング開口の縁部に対応する円弧状の縁部を有する第１シャッタと第２シャッタとを有し、前記第１シャッタと第２シャッタとが互いに端部を突き当てて前記チャッキング開口の開放状態を維持しつつ前記ヘッド開口部を閉塞し、前記第１シャッタと第２シャッタとが端部を離間して前記ヘッド開口部を開放するシャッタ機構と、
前記第１シャッタの円弧状の縁部に沿って設けられた第１凸部と前記第２シャッタの円弧状の縁部に沿って設けられた第２凸部とが前記ヘッド開口部の閉塞状態で周方向端部を突き合わせることで環状に形成され、前記ディスクメディアにおける前記センタ孔周りの面に当接するディスク内周受け部と、を備え、
前記第１凸部と第２凸部とは、前記ヘッド開口部の閉塞状態で突き合わされる周方向端部が互いに対応するテーパ形状とされている、ことを特徴とするディスクカートリッジ。
【請求項３】
前記第２凸部における前記テーパ状に形成された周方向端部は、前記第２シャッタが前記第１シャッタに近接する方向の先頭側端部からテーパ状に形成されていない部分との境界部にかけて連続的に高さが増すテーパ面とされている、ことを特徴とする請求項１または請求項２記載のディスクカートリッジ。
【請求項４】
前記第２凸部における前記テーパ状に形成された周方向端部は、径方向に沿って連続的に高さが変化するテーパ面とされている、ことを特徴とする請求項１乃至請求項３の何れか１項記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、コンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、ディスクメディアの記録面側にアクセスした記録ヘッドによって記録面へレーザ光、またはレーザ光及び磁場の両者が照射される。これにより、ディスクメディアでは、記録層の分解及び／または昇温によるピット形成や相変化、磁化反転等によって情報の記録が為され、またはレーザ光の反射率や偏光角を再生ヘッドで読み取って記録された情報の再生が行なわれるようになっている。
【０００３】
このようなディスクメディアの高記録容量化に伴い、ディスクメディアの記録面側の表面（記録層を被覆するカバー層）への塵埃の付着を防止するために、ディスクメディアをケースの収容部内に収容したディスクカートリッジが知られている（例えば、特許文献１参照）。このようなディスクカートリッジでは、ケースにおけるディスクメディアの記録面側に、ディスクメディアのセンタ孔及び記録面側にアクセスするためのチャッキング開口部及びヘッド開口部が設けられている。これらの開口は、インナロータによって駆動される一対のシャッタによって開閉されるようになっている。
【０００４】
また、ケースにおけるディスクメディアに対しチャッキング開口部及びヘッド開口部とは反対側に、ディスクメディアの出し入れを可能とする開口部を設けたディスクカートリッジが知られている（例えば、特許文献２参照）。このディスクカートリッジでは、上記開口部を設けると共に、インナロータを含む一対のシャッタを同一平面で動作させることにより、薄型化を図るようになっている。このディスクカートリッジについて、図１４に基づいて説明する。
【０００５】
図１４に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。ケース１０２内におけるディスクメディアと底板１０２Ａとの間には、ディスクメディアと同軸的に回動可能に支持された第１シャッタ１０８と、ケース１０２におけるディスクメディアの径方向外側に回動軸１１２を有する第２シャッタ１１０とが設けられている。
【０００６】
第１シャッタ１０８と第２シャッタ１１０とは、図１４（Ａ）に示す如く互いの突き当て端である当接端面１０８Ａ、１１０Ａを突き当ててヘッド開口部１０６を閉塞し、チャッキング開口部１０４については常時開放状態を維持する。そして、第１シャッタ１０８を矢印Ｇ方向に回動すると共に第２シャッタ１１０をヘッド開口部１０６に対し矢印Ｇとは略反対の矢印Ｈ方向に回動することで、図１４（Ｂ）に示される如く、ヘッド開口部１０６が開放される。
【０００７】
また、第１シャッタ１０８の上面及び第２シャッタ１１０の上面からは、それぞれ平面視で円弧状に形成された凸部１１４、１１６が突設されている。一対の凸部１１４、１１６は、ヘッド開口部１０６の閉塞状態で互いに周方向端部を当接させ、全体として平面視でチャッキング開口部１０４を囲む環状を成す。この環状に形成された凸部１１４、１１６の上端面にディスクメディア１２の軸心部に設けられたセンタ孔周りの面が当接するようになっている。これにより、ディスクメディア１２の記録面が第１シャッタ１０８、第２シャッタ１１０に接触することが防止されると共に、チャッキング開口部１０４を経由したディスクメディアの記録面側への塵埃等の侵入が阻止される。
【０００８】
ところで、第１シャッタ１０８、第２シャッタ１１０は、回動可能とするために、それぞれケース１０２、回動軸１１２との間に所要のクリアランスが設定されており、ヘッド開口部１０６を閉塞する状態でガタが生じる構成とされている。
【０００９】
しかしながら、上記従来のディスクカートリッジ１００では、凸部１１４、１１６におけるヘッド開口部１０６の閉塞状態で該ヘッド開口部１０６内に位置する互いの当接部１１４Ａ、１１６Ａが略線接触して環状を成す構成であるため、上記ガタによって当接部１１４Ａ、１１６Ａ間に隙間が生じるという問題があった。そして、この隙間は、ディスクメディアの記録面側に塵埃等を侵入させる原因となる。
【特許文献１】特開２００３−１１５１８４号公報
【特許文献２】特開２００３−２４２７４０号公報
【発明の開示】
【発明が解決しようとする課題】
【００１０】
本発明は、上記事実を考慮して、第１シャッタと第２シャッタとがヘッド開口部を閉塞する状態で環状を成す一対の凸部間を経由した塵埃等の侵入を防止することができるディスクカートリッジを得ることが目的である。
【課題を解決するための手段】
【００１１】
上記目的を達成するために請求項１記載の発明に係るディスクカートリッジは、円板状に形成されたディスクメディアを回転可能に収容する収容部における前記ディスクメディアの記録面側に、ドライブ装置のヘッドが前記記録面にアクセスするためのヘッド開口部が設けらたケースと、第１シャッタと第２シャッタとが互いに端部を突き当てて前記ヘッド開口部を閉塞し、前記第１シャッタと第２シャッタとが端部を離間して前記ヘッド開口部を開放するシャッタ機構と、前記第１シャッタに設けられた円弧状の第１凸部と前記第２シャッタに設けられた円弧状の第２凸部とが前記ヘッド開口部の閉塞状態で周方向端部を突き合わせることで環状に形成され、前記ディスクメディアの軸心部に設けられたセンタ孔周りの面に当接するディスク内周受け部と、を備え、前記第１凸部と第２凸部とは、前記ヘッド開口部の閉塞状態で突き合わされる周方向端部が互いに対応するテーパ形状とされている、ことを特徴としている。
【００１２】
請求項１記載のディスクカートリッジでは、ケースの収容部に収容されたディスクメディアの記録面にドライブ装置のヘッドがアクセスするためのヘッド開口は、第１シャッタと第２シャッタとが互いに端面を突き当てることで閉塞され、第１シャッタと第２シャッタとが端面を離間させることで開放される。第１シャッタと第２シャッタとがヘッド開口部を閉塞した状態では、第１凸部と第２凸部とが周方向端部を突き合わせる（当接または極近接させる）ことで環状に形成されているディスク内周受け部に、ディスクメディアのセンタ孔周りの面が当接している。これにより、仮に環状を成すディスク内周受け部の径方向内側がケース外と連通する構成であっても、ディスク内周受け部がディスクメディアの記録面側への塵埃との侵入を阻止する。
【００１３】
ここで、ディスク内周受け部を構成する第１凸部と第２凸部との互いに突き合わされる周方向端部が互いに対応するテーパ状に形成されているため、第１凸部と第２凸部との突き合わせ部間には隙間が生じ難い。すなわち、ガタに対し突き合わせ部間の対向間隔が小さくなる。このため、第１凸部と第２凸部とで環状を成すディスク内周受け部の内外を塵埃等が通過することが防止される。
【００１４】
このように、請求項１記載のディスクカートリッジでは、第１シャッタと第２シャッタとがヘッド開口部を閉塞する状態で環状を成す一対の凸部間を経由した塵埃等の侵入を防止することができる。
【００１５】
上記目的を達成するために請求項２記載の発明に係るディスクカートリッジは、軸心部にセンタ孔を有する円板状に形成されたディスクメディアを回転可能に収容する収容部における前記ディスクメディアの記録面側に、ドライブ装置のヘッドが前記記録面にアクセスするためのヘッド開口部と、ドライブ装置の回転軸が前記ディスクメディアのセンタ孔にアクセスしてチャッキングするための円形状のチャッキング開口部とがそれぞれ設けらたケースと、それぞれ前記チャッキング開口の縁部に対応する円弧状の縁部を有する第１シャッタと第２シャッタとを有し、前記第１シャッタと第２シャッタとが互いに端部を突き当てて前記チャッキング開口の開放状態を維持しつつ前記ヘッド開口部を閉塞し、前記第１シャッタと第２シャッタとが端部を離間して前記ヘッド開口部を開放するシャッタ機構と、前記第１シャッタの円弧状の縁部に沿って設けられた第１凸部と前記第２シャッタの円弧状の縁部に沿って設けられた第２凸部とが前記ヘッド開口部の閉塞状態で周方向端部を突き合わせることで環状に形成され、前記ディスクメディアにおける前記センタ孔周りの面に当接するディスク内周受け部と、を備え、前記第１凸部と第２凸部とは、前記ヘッド開口部の閉塞状態で突き合わされる周方向端部が互いに対応するテーパ形状とされている、ことを特徴としている。
【００１６】
請求項２記載のディスクカートリッジでは、ケースの収容部に収容されたディスクメディアの記録面にドライブ装置のヘッドがアクセスするためのヘッド開口は、第１シャッタと第２シャッタとが互いに端面を突き当てることで閉塞され、第１シャッタと第２シャッタとが端面を離間させることで開放される。この状態では、第１シャッタと第２者たとの円弧状の縁部が周方向端部を一致させて環状を成し、この環状部がチャッキング開口部の開放状態を維持する。
【００１７】
第１シャッタと第２シャッタとがヘッド開口部を閉塞した状態では、それぞれ上記円弧状縁に沿う第１凸部と第２凸部とが周方向端部を突き合わせる（当接または極近接させる）ことで環状に形成されているディスク内周受け部に、ディスクメディアのセンタ孔周りの面が当接している。これにより、チャッキング開口部が閉塞されない構成において、ディスク内周受け部がディスクメディアの記録面側への塵埃との侵入を阻止する。
【００１８】
ここで、ディスク内周受け部を構成する第１凸部と第２凸部との互いに突き合わされる周方向端部が互いに対応するテーパ状に形成されているため、第１凸部と第２凸部との突き合わせ部間には隙間が生じ難い。すなわち、ガタに対し突き合わせ部間の対向間隔が小さくなる。このため、第１凸部と第２凸部とで環状を成しチャッキング開口部と連通するディスク内周受け部の内側から、ディスク内周受け部の外側に位置するディスクメディアの記録面側へ塵埃等が侵入することが防止される。
【００１９】
このように、請求項２記載のディスクカートリッジでは、第１シャッタと第２シャッタとがヘッド開口部を閉塞する状態で環状を成す一対の凸部間を経由した塵埃等の侵入を防止することができる。
【００２０】
請求項３記載の発明に係るディスクカートリッジは、請求項１または請求項２記載のディスクカートリッジにおいて、前記第２凸部における前記テーパ状に形成された周方向端部は、前記第２シャッタが前記第１シャッタに近接する方向の先頭側端部からテーパ状に形成されていない部分との境界部にかけて連続的に高さが増すテーパ面とされている、ことを特徴としている。
【００２１】
請求項３記載のディスクカートリッジでは、第２凸部の上記周方向端部が、第２シャッタが第１シャッタに近接する方向の先頭側端部で最も低く、該端部から第２凸部におけるテーパ状に形成されていない部分との境界部にかけて連続的に高さが増すテーパ面とされており、第１凸部の周方向端部はこのテーパ面に対応するテーパ面とされている。これにより、第１シャッタと第２シャッタとがヘッド開口部を閉塞する動作に伴って、第１凸部及び第２凸部の各テーパ面が互いを誘い込みつつ突き合わされるため、換言すれば、テーパ面同士がガタを吸収しつつ互いに突き合わされるため、ガタによる隙間の発生を実効的に防止することができる。
【００２２】
請求項４記載の発明に係るディスクカートリッジは、請求項１乃至請求項３の何れか１項記載のディスクカートリッジにおいて、前記第２凸部における前記テーパ状に形成された周方向端部は、径方向に沿って連続的に高さが変化するテーパ面とされている、ことを特徴としている。
【００２３】
請求項４記載のディスクカートリッジでは、円弧状に形成された第２凸部の上記周方向端部が径方向に沿って連続的に高さが変化するテーパ面とされており、第１凸部の周方向端部はこのテーパ面に対応するテーパ面とされている。これにより、径方向に沿って傾斜したテーパ面同士を突き合わせて形成される環状のディスク内周受け部は、径方向の侵入経路が長くなり、その内側から外側への径方向に沿った塵埃等の侵入を効果的に防止することができる。特に、これらのテーパ面が請求項３記載の如く、第１凸部及び第２凸部の周方向に沿っても傾斜している構成では、テーパ面同士がガタをより吸収しつつ互いに突き合わされるため、ガタによる隙間の発生を一層実効的に防止することができる。
【発明の効果】
【００２４】
以上説明したように本発明に係るディスクカートリッジは、第１シャッタと第２シャッタとがヘッド開口部を閉塞する状態で環状を成す一対の凸部間を経由した塵埃等の侵入を防止することができるという優れた効果を有する。
【発明を実施するための最良の形態】
【００２５】
本発明の一実施形態に係るディスクカートリッジ１０について、図１乃至図９に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２６】
図１には、ディスクカートリッジ１０の外観形状が斜視図にて示されており、図２にはディスクカートリッジ１０が分解斜視図にて示されている。これらの図に示される如く、ディスクカートリッジ１０は、円板状に形成された情報記録再生媒体としてのディスクメディア１２を回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００２７】
先ず、ディスクカートリッジ１０の概略全体構成を説明し、その後、本発明の要部であるディスク内周受け部９０を構成する第１凸部６８、第２凸部８０の突き合わせ構造について説明することとする。
【００２８】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、ディスクメディア１２の下面は、記録面がカバー層（何れも図示省略）にて被覆保護されて構成されている。記録面は、ディスクメディア１２の下面における外周近傍及びセンタ孔１２Ａ周りの所定範囲を除く部分に環状に形成されている。ディスクメディア１２の下面におけるセンタ孔１２Ａの孔縁と記録面の内縁との間の領域は、ドライブ装置の回転スピンドル軸がディスクメディア１２を保持するためのチャッキングエリアとされている。本実施形態では、ディスクメディア１２の直径（外径）は略１２０ｍｍとされている。
【００２９】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００３０】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００３１】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。切欠部３０Ａは、下シェル２６の後述する外周壁４０の切欠部４０Ａとで、ケース１４における右側の側壁の前後方向中央部に略矩形状のシャッタ操作窓４６を構成するようになっている。
【００３２】
下シェル２６は、天板２８に略対応した形状の底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが設けられている。以下の説明では、チャッキング開口部４２とヘッド開口部１６とをまとめてアクセス開口４４という場合がある。ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。
【００３３】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６（図１参照）を形成するようになっている。シャッタ操作窓４６は、後述するインナロータ６０の操作突起６６露出用とされている。
【００３４】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容する収容部としてのディスク収容部５０（図１参照）を形成するようになっている。このディスク収容部５０は、上記の通りディスク開口部２０を通じてディスクメディア１２の出し入れが可能とされている。
【００３５】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。
【００３６】
さらにまた、底板３８の左端近傍における前後方向略中央部には、前後一対の凹部５６Ａ、５６Ｂが設けられている。凹部５６Ａ、５６Ｂは、それぞれインナロータ６０のカム突起７２（後述）の移動軌跡の始端、終端を含むように、かつ互いに離間して配置されている。さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００３７】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００３８】
（シャッタ機構の構成）
シャッタ機構１８は、ケース１４内に設けられている。具体的には、シャッタ機構１８は、ケース１４内に配設されたインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的な回動可能とされている。
【００３９】
環状壁部６２の下端内側には、平板状の第１シャッタ６４が一体的に設けられている。第１シャッタ６４は、環状壁部６２と同軸同径の円板に、アクセス開口４４と略同形状の切欠部６５Ａと、後述する第２シャッタ７４の内周ディスク受け部（円弧リブ）８０の相対移動軌跡に対応した切欠部６５Ｂとを設けた形状とされている。また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００４０】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図６参照）と、ヘッド開口部１６上から退避する開放位置（図９参照）とを取り得るようになっている。すなわち、開放位置に位置する第１シャッタ６４は、その切欠部６５Ａをアクセス開口４４上に略一致して位置させるようになっている。
【００４１】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４２】
また、第１シャッタ６４の上面からは、切欠部６５Ａにおけるチャッキング開口部４２に対応する縁部に沿って円弧状に形成された第１凸部６８が立設されている。第１凸部６８は、後述する第２凸部８０とで環状のディスク内周受け部９０を成し、このディスク内周受け部９０の上端面がディスクメディア１２の上記チャッキングエリアの下面に当接するようになっている。したがって、第１シャッタ６４は、底板３８とディスクメディア１２との間に配置されてヘッド開口部１６の一部を開閉するようになっている。
【００４３】
一方、第１シャッタ６４の上面における外周近傍からは、環状壁部６２の内面とに跨がるように外周受け凸部７０が立設されている。外周受け凸部７０は、第１凸部６８と略同じ高さとされており、ディスクメディア１２の下面における記録面よりも径方向外側の領域が当接するようになっている。これにより、第１シャッタ６４は、閉塞位置に位置すときには第１凸部６８及び外周受け凸部７０において、ディスクメディア１２を下方から支持する構成とされている。
【００４４】
さらに、第１シャッタ６４の下面における外周近傍からは、カム突起７２が突設されている。カム突起７２は、切欠部６５Ｂの径方向外側に配置されており、第２シャッタ７４のカム溝７８（後述）に常に入り込むようになっている。
【００４５】
また、シャッタ機構１８は、第１シャッタ６４が閉塞位置に位置するときにヘッド開口部１６の残余の一部（内周側の一部）を閉塞する第２シャッタ７４を備えている。第２シャッタ７４は、平板状に形成されており、底板３８と摺動するようになっている。このため、第１シャッタ６４における第２シャッタ７４の移動領域と干渉する部分、具体的には主に切欠部６５Ｂの径方向外側部分は、他の部分よりも薄肉とされている。すなわち、第２シャッタ７４は、第１シャッタ６４におけるヘッド開口部１６を閉塞する部分よりも薄肉とされている。
【００４６】
この第２シャッタ７４は、長板状に形成されており、長手方向の一端部に下シェル２６の支軸５２に回動自在に軸支されるボス部７６を備えている。これにより、第２シャッタ７４は、支軸５２廻りの回動によって、ヘッド開口部１６の内周側の一部を閉塞する閉塞位置（図６参照）と、ヘッド開口部１６上から退避する開放位置（図９参照）とを取り得るようになっている。図１及び図６に示される如く、第１シャッタ６４と第２シャッタ７４とは、それぞれ閉塞位置に位置する状態では、互いの当接端面６４Ａ、７４Ａを突き当ててヘッド開口部１６を完全に閉塞する構成である。
【００４７】
そして、第１シャッタ６４は、インナロータ６０の軸心廻りに図６に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿うカム溝７８が設けられており、このカム溝７８には第１シャッタ６４のカム突起７２が入り込んでいる。
【００４８】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム突起７２がカム溝７８の溝壁を押圧することで第２シャッタ７４が矢印Ｅ方向に回動するようになっている。カム突起７２は、ヘッド開口部１６の閉塞状態ではカム溝７８における支軸５２側の端部近傍に位置しており、図７及び図８に示される如くインナロータ６０の矢印Ｄ方向への回動に伴って支軸５２から離間するよう相対移動する構成である。
【００４９】
そして、本実施形態では、図８に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム突起７２の移動軌跡に一致する円弧状に形成されている。これにより、第１シャッタ６４は、第２シャッタ７４と干渉することなく図８に示す回動位置から図９に示す開放位置へ移動するようになっている。また、シャッタ機構１８では、ヘッド開口部１６の開放状態からインナロータ６０を矢印Ｄと反対方向に回動することで、図８及び図７に示す状態を経て図６に示すヘッド開口部１６の閉塞状態に復帰する構成である。
【００５０】
また、本実施形態では、第１シャッタ６４が閉塞位置に位置する状態で、第２シャッタ７４が矢印Ｅ方向に回動して開放位置側に移動すること、または第２シャッタ７４が矢印Ｆ方向に回動して閉塞位置に移動することを許容するようになっている。具体的には、図６に示される如く、第２シャッタ７４における第１シャッタ６４の当接端面６４Ａとの突き当て端である当接端面７４Ａは、平面視で円弧状に形成されている。より具体的には、当接端面７４Ａは、第２シャッタ７４の回動軸心である支軸５２（ボス部７６）の軸心を中心とする円弧とされている。また、第１シャッタ６４における切欠部６５Ａの縁部であり当接端面７４Ａとの突き当て端である当接端面６４Ａは、ヘッド開口部１６の閉塞状態で当接端面７４Ａに一致する平面視で円弧状に形成されている。
【００５１】
このように当接端面６４Ａ、７４Ａが上記円弧形状とされていることにより、第１シャッタ６４と第２シャッタ７４とは、当接端面６４Ａ、７４Ａを隙間なく突き当ててヘッド開口部１６を閉塞する機能を維持しつつ、スムースかつ確実にヘッド開口部１６を開閉する構成とされている。
【００５２】
ここで、図６に示す仮想直線Ｌ１は、第１シャッタ６４が開放位置に位置するときに、当接端面６４Ａがヘッド開口部１６の右側の縁部１６Ａと略一致すると仮定した場合の該当接端面６４Ａに相当する。また、仮想直線Ｌ２は、支軸５２の軸心を通る仮想直線Ｌ１の法線である。この図から、仮想直線Ｌ１における仮想直線Ｌ２よりも矢印Ｅとは反対の矢印Ｆ側（第２シャッタ７４の閉塞位置への移動側）では、該仮想直線Ｌ１上の任意の点と支軸５２の軸心とを結ぶ線が該仮想直線Ｌ１と成す角が鋭角（９０°未満）となることがわかる。このため、当接端面６４Ａ、７４Ａを仮想直線Ｌ１に一致させて構成すると、第１シャッタ６４が先に矢印Ｄ方向に移動しない限り、第２シャッタ７４は矢印Ｅ方向へ回動することができない。同様に、第１シャッタ６４が閉塞位置に位置する状態では、第２シャッタ７４は開放位置側から閉塞位置へ回動することができない。
【００５３】
一方、本実施形態では、当接端面６４Ａ、７４Ａが上記円弧形状とされているため、第１シャッタ６４の位置に依存することなく、第２シャッタ７４の矢印Ｅ方向または矢印Ｆ方向への回動が可能となる構成である。したがって、当接端面６４Ａ、７４Ａの全範囲を上記円弧形状とする必要はなく、少なくとも仮想直線Ｌ２から矢印Ｆの側部分を上記円弧形状とすれば良い。なお、当接端面６４Ａ、７４Ａにおける仮想直線Ｌ２よりも矢印Ｅ側部分は、例えば、仮想直線Ｌ２との成す角が９０°以上となる直線状に形成することができる。当接端面６４Ａ、７４Ａは、如何なる形状に形成しても、ヘッド開口部１６閉塞状態における矢印Ｅ側端部が該ヘッド開口部１６の左縁１６Ｂよりも僅かに左方に位置してケース１４内に入り込んでいれば良い。
【００５４】
以上により、図９に示される如く、第１シャッタ６４の切欠部６５Ａにおける当接端面６４Ａ側の縁部（ヘッド開口部１６に対応する部分の右縁）は、円弧状に形成された当接端面６４Ａを除き、開放位置に位置するときにヘッド開口部１６の右縁１６Ａに略一致する構成とされている。また、第１シャッタ６４及び第２シャッタ７４が共に閉塞位置に位置する状態では、第２シャッタ７４における当接端面７４Ａとで角部を成す端面７４Ｂが、第１シャッタ６４における当接端面６４Ａとで角部を成す端面６４Ｂに突き当たることによって、第２シャッタ７４の閉塞位置を超えた矢印Ｆ方向への回動が規制されるようになっている。
【００５５】
なお、図６に示す仮想直線Ｌ３は、従来のディスクカートリッジ１００における当接端面１０８Ａ、１１０Ａに相当する。従来のディスクカートリッジ１００では、仮想直線Ｌ３上の任意の点と支軸５２の軸心とを結ぶ直線と該仮想直線Ｌ３とが成す角が、仮想直線Ｌ３の全長に亘り鈍角となるように構成することで、第１シャッタが閉塞位置に位置する状態で第２シャッタの回動許容していた。この構成と比較して、本実施形態に係る第２シャッタ７４が大幅に小型化されていることがわかる。また、図６乃至図９では、理解を容易にするために、第１シャッタ６４及び第２シャッタ７４の動作の説明に必要な部分以外の部分（例えば、ディスクメディア１２、ディスク保持機構２２、上シェル２４等）の図示を省略している。
【００５６】
また、図１及び図２に示される如く、第２シャッタ７４の上面からは、円弧状に形成された第２凸部８０が突設されている。第２凸部８０は、ヘッド開口部１６を閉塞した状態で、周方向端部をそれぞれ第１凸部６８の対応する周方向端部に突き合わせることで、環状のディスク内周受け部９０を形成するようになっている。第２シャッタ７４における第２凸部８０の外側（径方向内側）は、切欠部７４Ｃ（図２参照）とされている。したがって、第１シャッタ６４及び第２シャッタ７４が共に閉塞位置に位置する状態で、チャッキング開口部４２は完全に開放される構成とされている。換言すれば、チャッキング開口部４２は、切欠部６５Ａ、７４Ｃによって常に開放されてディスク開口部２０と連通する構成である。
【００５７】
ヘッド開口部１６を閉塞した状態で第１凸部６８と第２凸部８０とで環状に形成されるディスク内周受け部９０は、その略面一とされる上端面を、ディスクメディア１２の下面におけるチャッキングエリアに下方から当接させる（下側から支持する）構成である。このため、ディスクメディア１２の下面すなわち記録面側には、常に開放されているチャッキング開口部４２を経由して塵芥等が侵入することがない構成とされている。
【００５８】
このディスク内周受け部９０は、ヘッド開口部１６を閉塞した状態で互いに突き合わされる第１凸部６８の周方向一端部６８Ａと、第２凸部８０の周方向一端部８０Ａとがヘッド開口部１６から外部に露出されるようになっている。第１凸部６８の周方向一端部６８Ａと、第２凸部８０の周方向一端部８０Ａとの突き合わせ構造については後述する。
【００５９】
そして、シャッタ機構１８では、インナロータ６０が矢印Ｄ方向に回動すると、下シェル２６の凹部５６Ａに入り込んでいたカム突起７２が該凹部５６Ａから抜け出し、第１シャッタ６４が持ち上がって第２シャッタ７４よりも上側に位置するようになっている。これにより、ヘッド開口部１６の開放動作の初期に第２シャッタ７４の第２凸部８０が第１凸部６８によって持ち上げられるディスクメディア１２の下面から離間し、矢印Ｅ方向に回動する第２シャッタの第２凸部８０がディスクメディア１２の記録面に接触してしまうことが防止される構成である。また、第１シャッタ６４に切欠部６５Ｂが設けられていることにより、第２シャッタ７４の第２凸部８０が第１シャッタ６４に干渉することがない構成とされている。
【００６０】
また、開放位置まで移動した第１シャッタ６４のカム突起７２は、凹部５６Ｂに入り込んで第１シャッタ６４を底板３８上に載置する状態に復帰させ、ディスクメディア１２を底板３８と略平行な状態に復帰させるうようになっている。これにより、ディスクメディア１２のドライブ装置の回転スピンドル軸による確実なチャッキングが可能となると共に、回転するディスクメディア１２が第１シャッタ６４に干渉することが防止される構成である。なお、ヘッド開口部１６の開放状態から閉塞状態への移行過程では、上記説明の逆の動作が行なわれるようになっている。
【００６１】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面よりも径方向外側部分の残余の一部に下方から接する（下側から支持する）構成である。これにより、ディスクメディア１２の下面すなわち記録面側には、ディスク開口部２０を経由して塵芥等が侵入することがない構成とされている。
【００６２】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００６３】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００６４】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００６５】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００６６】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、該部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００６７】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６８】
［内周受け凸部の突き合わせ部の構成］
図３に示される如く、第２凸部８０の一端部８０Ａは、略上向きのテーパ面８０Ｂとされている。また、第１凸部６８の一端部６８Ａは、テーパ面８０Ｂとは逆向きのテーパ面６８Ｂとされている。すなわち、テーパ面８０Ｂとテーパ面６８Ｂとは、互いに対応しており、略全面に亘り面接触可能とされている。以下、具体的に説明する。
【００６９】
図４（Ａ）及び図５（Ａ）に示される如く、テーパ面８０Ｂは、第２シャッタ７４の端面７４Ｂの上縁が周方向の基端とされており、該基端において最も低位とされている。そして、テーパ面８０Ｂは、終端側へ向けて第２凸部８０の周方向に沿って連続的に高さが増すように形成されている。テーパ面８０Ｂの終端８０Ｃは、第２シャッタ７４が閉塞位置に位置する状態で上記仮想直線Ｌ１と略一致するように、第２凸部８０の幅方向（径方向）に対し交差して形成されている（図６参照）。したがって、テーパ面８０Ｂは、終端８０Ｃ側の一部分が幅を連続的に縮小しており、幅方向に対してもテーパ状に形成されていると把握することができる。
【００７０】
また、テーパ面８０Ｂの基端を規定する端面７４Ｂの上縁は、第２凸部７４の径方向外側が径方向内側よりも高位となるテーパ状に形成されている。このため、テーパ面８０Ｂは、第２凸部８０（一端部８０Ａ）の内周面から外周面にかけて連続的に高さが増すテーパ状とされており、そのテーパ角が基端側で最大となると共に終端８０Ｃでは０となる構成とされている。
【００７１】
以上により、テーパ面８０Ｂは、周方向及び径方向（一部幅方向）に沿って高さが連続的に変化する湾曲面とされている。このテーパ面８０Ｂにおける基端すなわち端面７４Ｂ（の径方向一部）は、第２シャッタ７４の厚みよりも低く設定されても（第２シャッタ７４の上面から突出する構成でなくても）良い。
【００７２】
一方、テーパ面６８Ｂが設けられた第１凸部６８の一端部６８Ａは、該第１凸部６８の周方向に沿って第１シャッタ６４の端面６４Ｂから突出している。そして、この端面６４Ｂの上縁がテーパ面６８Ｂの基端を規定しており、一端部６８Ａの突出端がテーパ面６８Ｂの終端６８Ｃを規定している。終端６８Ｃは、当接端面６４Ａを除く切欠部６５Ａの右縁と略一致するように、第１凸部６８の幅方向（径方向）に対し交差して形成されている。この終端６８Ｃは、図９に示される如く、第１シャッタ６４が開放位置に位置する状態では、平面視でヘッド開口部１６の右縁１６Ａに略一致して位置するようになっている。
【００７３】
そして、テーパ面６８Ｂは、テーパ面８０Ｂに対応して基端から終端に向けて連続的に行為となるように形成されており、終端６８Ｃにおいて厚みがほぼ０となるように尖鋭されている。したがって、テーパ面６８Ｂの終端６８Ｃとテーパ面８０Ｂの終端８０Ｃとを一致させると、略面一のディスク内周受け部９０が形成されるようになっている。また、テーパ面６８Ｂは、テーパ面８０Ｂに対応して第１凸部６８の内周面から外周面側にかけて径方向に沿って連続的に高位となる（一端部６８Ａを薄肉とする）ように、径方向に対しても傾斜して形成されており、そのテーパ角が基端側で最大となると共に終端６８Ｃでは０となる構成とされている。以上により、テーパ面６８Ｂは、周方向及び径方向（一部幅方向）に沿って高さが連続的に変化する湾曲面とされており、この湾曲面がテーパ面８０Ｂの形状に対応している。
【００７４】
そして、第１凸部６８と第２凸部８０とは、第１シャッタ６４と第２シャッタ７４とがヘッド開口部１６を閉塞する動作に伴って端面６４Ｂと端面７４Ｂとを突き当てると、図４（Ｂ）、図５（Ｂ）及び図５（Ｃ）に示される如く、テーパ面６８Ｂとテーパ面８０Ｂとが上下に重ねて突き合わされてディスク内周受け部９０を形成するようになっている。この状態では、テーパ面６８Ｂの終端６８Ｃとテーパ面８０Ｂの終端８０Ｃとが同高位で突き合わされるようになっている。
【００７５】
また、テーパ面６８Ｂ、８０Ｂは、径方向外側で高位となるように形成されているため、ヘッド開口部１６に対し互いに異なる方向に回動し、図７に示す如き回動位置をとる第１シャッタ６４、第２シャッタ７４の動作を阻害することがない構成とされている。
【００７６】
一方、第２凸部８０の一端部８０Ａとは反対側の周方向他端部は、第２シャッタ７４の回動軸心に近くガタの影響が小さいことから、本実施形態では、第１凸部６８の一端部６８Ａとは反対側の周方向他端部との単なる突き当て構造としているが、第１凸部６８、第２凸部８０の周方向他端部同士の突き合わせ部に、上記一端部６８Ａ、８０Ａと同様のテーパ構造を採用しても良い。
【００７７】
次に、本実施形態の作用を説明する。
【００７８】
上記構成のディスクカートリッジ１０では、保管時や運搬時等の不使用時には第１シャッタ６４、第２シャッタ７４がそれぞれ閉塞位置に位置してヘッド開口部１６を閉塞している。さらに、ディスク押え部材８４がディスク押えばね８６の付勢力によってディスクメディア１２を下方に押し付け、該ディスクメディア１２のガタつきを防止している。
【００７９】
また、第１凸部６８と第２凸部８０とが環状のディスク内周受け部９０を形成し、このディスク内周受け部９０の上端面がディスクメディア１２のチャッキングエリアに当接している。さらに、外周受け凸部７０とディスク受け部材８２のディスク外周受け部８２Ａとが環状を成してディスクメディア１２の記録面よりも径方向外側部分に当接している。これらにより、ディスクメディア１２の内周側から記録面側への塵芥等の侵入、ディスクメディア１２の外周側から記録面側への塵芥等の侵入が防止されると共に、ディスクメディア１２の記録面が第１シャッタ６４、第２シャッタ７４に接触することが防止されている。
【００８０】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００８１】
すると、インナロータ６０すなわち第１シャッタ６４が矢印Ｄ方向に回動し、これに連動して第２シャッタ７４が矢印Ｅ方向に回動する。そして、図７及び図８に示す状態を経て、操作突起６６がシャッタ操作窓４６の後端まで移動すると、図９に示される如くヘッド開口部１６が完全に開放された状態になる。このとき、第１シャッタ６４のカム突起７２が凹部５６Ａから抜け出るのに伴って、該第１シャッタ６４に設けられた第１凸部６８がディスクメディア１２を持ち上げ、ディスクメディア１２の軸心とは異なる軸心廻りに回動する第２シャッタ７４に設けられた第２凸部８０がディスクメディア１２の記録面に干渉して傷つけることが防止される。カム突起７２が凹部５６Ｂに入り込むと、外周受け凸部７０に支持されているディスクメディア１２は、ケース１４におけるドライブ装置に対する位置決め基準である底板３８と平行な状態に復帰する。
【００８２】
次いで、ドライブ装置内では、底板３８の基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア）をチャッキングして該ディスクメディア１２を保持しつつ第１シャッタ６４の上面から離間させる。そして、回転スピンドル軸が回転すると、ディスクメディア１２がケース１４内で非接触で回転駆動される。一方、ヘッド開口部１６からはドライブ装置の記録再生ヘッドが進入する。この記録再生ヘッドによって、ディスクメディア１２の記録面に情報が記録され、または記録面に記録された情報が再生される（ディスクメディア１２が使用される）。
【００８３】
ディスクメディア１２の使用後には、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、これに連動して第２シャッタ７４が矢印Ｆ方向に回動する。そして、図８及び図７に示す状態を経て、操作突起６６がシャッタ操作窓４６の前端まで移動すると、図６に示される如くヘッド開口部１６が完全に閉塞された状態に復帰する。
【００８４】
このときも、第１シャッタ６４のカム突起７２が凹部５６Ｂから抜け出るのに伴って、該第１シャッタ６４に設けられた第１凸部６８がディスクメディア１２を持ち上げ、ディスクメディア１２の軸心とは異なる軸心廻りに回動する第２シャッタ７４に設けられた第２凸部８０がディスクメディア１２の記録面に干渉して傷つけることが防止される。カム突起７２が凹部５６Ａに入り込むと、外周受け凸部７０に支持されているディスクメディア１２は、ケース１４におけるドライブ装置に対する位置決め基準である底板３８と平行な状態に復帰する。
【００８５】
そして、第１シャッタ６４と第２シャッタ７４とがヘッド開口部１６を閉塞するのに伴って、第１凸部６８のテーパ面６８Ｂと第２凸部８０のテーパ面８０Ｂとが突き合わされてディスク内周受け部９０が形成され、このディスク内周受け部９０の上端面がディスクメディア１２のチャッキングエリアに当接する。以上により、ディスクカートリッジ１０は使用前の状態に復帰する。
【００８６】
ここで、ディスク内周受け部９０を構成する第１凸部６８と第２凸部８０とにおける、ヘッド開口部１６の閉塞状態で互いに突き合わされる一端部６８Ａ、８０Ａが互いに対応するテーパ面６８Ｂ、８０Ｂを有するテーパ構造とされているため、第１凸部６８と第２凸部８０との突き合わせ部間には隙間が生じ難い。すなわち、仮にガタによってテーパ面６８Ｂ、８０Ｂが離間しても、該テーパ面６８Ｂ、８０Ｂ同士は狭い間隔で対向するため、隙間は（テーパ構造でない場合と開口面積は同じでも）塵埃等が通過し難い形状に形成される。このため、一端部６８Ａ、８０Ａを突き合わせた第１凸部６８と第２凸部８０とで環状に形成されチャッキング開口部４２と連通するディスク内周受け部９０の径方向内側から、該ディスク内周受け部９０の径方向外側に位置するディスクメディア１２の記録面側へ塵埃等が侵入することが防止される。
【００８７】
特に、テーパ面６８Ｂ、８０Ｂは周方向に沿って連続的に高位を変化させる形状であるため、第１シャッタ６４と第２シャッタ７４とがヘッド開口部１６を閉塞する動作に伴って、第１凸部６８及び第２凸部８０の各テーパ面６８Ｂ、８０Ｂが互いを誘い込みつつ突き合わされる。これにより、テーパ面６８Ｂ、８０Ｂは、ガタを吸収しつつ互いに突き合わされ、ガタによる隙間の発生を実効的に防止することができる。
【００８８】
また特に、テーパ面６８Ｂ、８０Ｂが径方向に沿って連続的に高位を変化させる形状であるため、ディスク内周受け部９０における径方向の侵入経路が長くなり、該ディスクない周受け部９０の径方向内側から径方向外側への径方向に沿った塵埃等の侵入を効果的に防止することができる。しかも、上記の如くテーパ面６８Ｂ、８０Ｂが周方向に沿って連続的に高位を変化させる形状であることと併せ、すなわち、テーパ面６８Ｂ、８０Ｂが２重のテーパ構造であるため、テーパ面６８Ｂ、８０Ｂは、ガタをより効果的に吸収しつつ互いに突き合わされ、ガタによる隙間の発生を一層実効的に防止することができる。
【００８９】
このように、本実施形態に係るディスクカートリッジ１０では、第１シャッタ６４と第２シャッタ７４とがヘッド開口部１６を閉塞する状態で環状を成す一対の凸部６８、８０間を経由した、ディスクメディア１２の記録面側への塵埃等の侵入を効果的に防止することができる。
【００９０】
なお、上記の実施形態では、ディスク内周受け部９０を構成する第１凸部６８と第２凸部８０との間からの塵埃等の侵入防止構造を説明したが、例えば、以下に示す変形例の如く構成して第１シャッタ６４と第２シャッタ７４との間の防塵性を向上しても良い。図１０に示す第１変形例では、円弧状に形成された当接端面６４Ａ、７４Ａの当接部位を被覆する被覆部９２が第１シャッタ６４の下面に沿って延設されている。被覆部９２の縁部は、当接端面６４Ａの両端部を結ぶように直線状に形成されており、ヘッド開口部１６の開放状態では該ヘッド開口部１６の右縁１６Ａに沿う（図示省略）構成とされている。すなわち、被覆部９２の縁部は、ヘッド開口部１６の閉塞状態で図６に示す仮想直線Ｌ１と一致する。この被覆部９２を設けることにより、第１シャッタ６４と第２シャッタ７４とが印篭構造となり、換言すれば、仮に第１シャッタ６４と第２シャッタ７４との間に隙間が形成されてもこの隙間が迷路構造となり、第１シャッタ６４と第２シャッタ７４との当接端面６４Ａ、７４Ａ間の防塵性が向上する。なお、当接端面６４Ａ、７４Ａを互いに対応するテーパ構造とすることで、第１シャッタ６４と第２シャッタ７４との当接端面６４Ａ、７４Ａ間の防塵性を向上することも可能である。
【００９１】
図１１乃至図１３に示す第２変形例では、舌部９２が第１シャッタ６４の上面に沿って形成されている。舌部９２の切欠部６５Ａ側の長手方向に沿う縁部は、該舌部９２を設けない場合の当接端面６４Ａと平面視で略一致する円弧形状とされている。そして、舌部９２における切欠部６５Ａとは反対側の長手方向に沿う縁部が、第２シャッタ７４の当接端面７４Ａに突き当てられる円弧状の当接端面６４Ａとされている。すなわち、舌部９２の長手方向に沿う両縁部は、互いに同心の円弧状に形成されている。そして、当接端面６４Ａに突き当てられる当接端面７４は、第２シャッタ７４の先端側に延設された延設部９４の縁部として形成されている。当接端面７４Ａは、支軸５２（ボス部７６）の軸心廻りの円弧状に形成されている。したがって、本第２変形例では、第２シャッタ７４が長手方向に若干延伸されている。但し、当接端面７４Ａが円弧状に形成されていることにより、第２シャッタ７４は、幅方向には殆ど大型化されていない。そして、第１シャッタ６４と第２シャッタ７４とは、ヘッド開口部１６の閉塞状態では、互いの当接端面６４Ａ、７４Ａを突き当てる（または極近接させる）と共に、舌部９２と延設部９４とを上下に重ね合わせる構成とされている。
【００９２】
また、第１凸部６８の一端部６８Ａは、舌部９２から連続して一体的に形成されている。さらに、一端部６８Ａに形成されたテーパ面６８Ｂの終端６８Ｃは、段部として形成されており、ヘッド開口部１６の開放状態における底面視で右縁１６Ａに対し交差方向に沿う面とされている（図１３参照）。すなわち、本第２変形例における端部６８Ａは、上記実施形態における端部６８Ａの先端を切り欠いた如く形成されている。一方、第２凸部８０の一端部８０Ａは、延設部９４よりもボス部７６側に位置しており、テーパ面６８Ｂに対応するテーパ面８０Ｂが形成されている。すなわち、テーパ面８０Ｂは、終端８０Ｃが周方向に交差する方向に沿う段部とされており、テーパ面６８Ｂにほぼ隙間なく突き合わされた状態で、終端８０Ｃを規定する段部を第１シャッタ６４における終端６８Ｃを規定する段部に突き当てる構成とされている。これにより、隙間なくディスク内周受け部９０が形成されるようになっている。
【００９３】
本第２変形例では、ヘッド開口部１６の閉塞状態における第１シャッタ６４と第２シャッタ７４との間の防塵性、ディスク内周受け部９０を構成する第１凸部６８と第２凸部８０との間の防塵性が向上する他、第１シャッタ６４にアンダカット部や尖鋭部が形成されないため、樹脂材にて第１シャッタ６４（インナロータ６０）を構成する場合に、成形性が良好である。また、仮に当接端面６４Ａ、７４Ａ間に隙間が生じてもこの隙間が舌部９２にて被覆されるため、美観が損なわれることがない。
【００９４】
また、上記実施形態では、テーパ面６８Ｂ、８０Ｂが周方向及び径方向に沿って高位が変化する２重のテーパ構造である好ましい構成としたが、本発明はこれに限定されず、例えば、テーパ面６８Ｂ、８０Ｂが周方向及び径方向の何れか一方のみに沿って高位を変化させる構成としても良く、終端６８Ｃ、８０Ｃと上下方向とに沿う周方向に沿って幅のみを変化させるテーパ面であっても良い。
【００９５】
さらに、上記の実施形態では、ケース１４にディスク開口部２０が設けられている構成を例示したが、本発明はこれに限定されず、例えば、天板２８が開口部を備えない構成としても良く、ディスク開口部２０に代えて天板２８にもヘッド開口部１６またはアクセス開口４４を設けた構成として良い。後者の場合、天板２８とディスクメディア１２との間にシャッタ機構１８または別のシャッタ機構を設けることができる。また、上記の実施形態では、チャッキング開口部４２が常時開放される構成としたが、本発明はこれに限定されず、チャッキング開口部４２がヘッド開口部１６と共に第１シャッタ６４及び第２シャッタ７４にて閉塞される構成であっても良い。但し、本発明は、ディスク開口部２０を有するか、またはチャッキング開口部４２が常時開放される構成に、好適に適用される。
【００９６】
さらにまた、上記の実施の形態では、第１シャッタ６４と第２シャッタ７４とが異なる回動軸心廻りに回動する構成としたが、本発明は第１シャッタ６４、第２シャッタ７４の動作によって限定されることはない。したがって、本発明は、第１シャッタ６４と第２シャッタ７４との突き当て端面６４Ａ、７４Ａが円弧状に形成された好ましい構成に限定されることもない。
【００９７】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。
【図面の簡単な説明】
【００９８】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジを構成するシャッタ機構の分解斜視図である。
【図４】本発明の一実施形態に係るディスクカートリッジを構成する第１凸部と第２凸部とを示す図であって、（Ａ）は第１凸部と第２凸部とが離間した状態の斜視図、（Ｂ）は第１凸部と第２凸部とが突き合わされた状態の斜視図である。
【図５】本発明の一実施形態に係るディスクカートリッジを構成する第１凸部と第２凸部とを示す図であって、（Ａ）は第１凸部と第２凸部とが離間した状態の模式的な側面図、（Ｂ）は第１凸部と第２凸部とが突き合わされた状態の模式的な側面図、（Ｃ）は図５（Ｂ）の５Ｃ−５Ｃ線に沿う断面図である。
【図６】本発明の一実施形態に係るディスクカートリッジを構成するシャッタ機構によるヘッド開口部の閉塞状態を示す模式的な平面図である。
【図７】本発明の一実施形態に係るディスクカートリッジを構成するシャッタ機構のヘッド開口部の閉塞または開放過程を示す模式的な平面図である。
【図８】本発明の一実施形態に係るディスクカートリッジを構成するシャッタ機構のヘッド開口部の閉塞または開放過程の図７とは異なる状態を示す模式的な平面図である。
【図９】本発明の一実施形態に係るディスクカートリッジを構成するシャッタ機構によるヘッド開口部の開放状態を示す模式的な平面図である。
【図１０】本発明の一実施形態に係るディスクカートリッジを構成するシャッタ機構の第１変形例を示す分解斜視図である。
【図１１】本発明の一実施形態に係るディスクカートリッジを構成するシャッタ機構の第２変形例を示す分解斜視図である。
【図１２】本発明の一実施形態に係るディスクカートリッジを構成するシャッタ機構の第２変形例を示す、ヘッド開口部の閉塞状態における模式的な底面図である。
【図１３】本発明の一実施形態に係るディスクカートリッジを構成するシャッタ機構の第２変形例を示す、ヘッド開口部の開放状態における模式的な底面図である。
【図１４】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【符号の説明】
【００９９】
１０    ディスクカートリッジ
１２    ディスクメディア
１４    ケース
１６    ヘッド開口部
１８    シャッタ機構
４２    チャッキング開口部
５０    ディスク収容部（収容部）
６４    第１シャッタ
６８    第１凸部
６８Ｂ  テーパ面
７４    第２シャッタ
８０    第２凸部
８０Ｂ  テーパ面
９０    ディスク内周受け部
【図１】
2005276334.tif 000003
【図２】
2005276334.tif 000004
【図３】
2005276334.tif 000005
【図４】
2005276334.tif 000006
【図５】
2005276334.tif 000007
【図６】
2005276334.tif 000008
【図７】
2005276334.tif 000009
【図８】
2005276334.tif 000010
【図９】
2005276334.tif 000011
【図１０】
2005276334.tif 000012
【図１１】
2005276334.tif 000013
【図１２】
2005276334.tif 000014
【図１３】
2005276334.tif 000015
【図１４】
2005276334.tif 000016